(57)【要約】【課題】  背もたれ部における可動領域の制限をなくして、どのような場合においても使用者の背中との間のズレの発生を防止することが可能なリクライニング装置を提供すること。【解決手段】  着座部と、上記着座部に対してリクライニング動作可能に取り付けられた背もたれ部と、を具備してなるリクライニング装置において、上記背もたれ部をベルトコンベア状に構成して、背もたれ部のリクライニング動作時に回転させることにより背もたれ部側と使用者の背中側との間のズレを解消するように構成したもの。【選択図】  図１
2007190198.tif 000002
【特許請求の範囲】
【請求項１】
着座部と、上記着座部に対してリクライニング動作可能に取り付けられた背もたれ部と、を具備してなるリクライニング装置において、
上記背もたれ部をベルトコンベア状に構成して、背もたれ部のリクライニング動作時に回転させることにより背もたれ部側と使用者の背中側との間のズレを解消するように構成したことを特徴とするリクライニング装置。
【請求項２】
請求項１記載のリクライニング装置において、
上記背もたれ部は、複数個の回転体と、上記複数個の回転体に巻回された無端状帯と、上記複数個の回転体の少なくとも何れか一つの回転体の回転を選択的に禁止する回転禁止手段と、から構成されていて、
非リクライニング動作時には上記何れか一つの回転体は上記回転禁止手段によってその回転が禁止されており、リクライニング動作時には上記回転禁止手段による上記何れか一つの回転体の回転禁止は解除されるものであることを特徴とするリクライニング装置。
【請求項３】
請求項２記載のリクライニング装置において、
上記回転禁止手段は、上記少なくとも何れか一つの回転体に設けられた係合穴と、該係合穴に選択的に差し込まれる係合ピンと、から構成されていることを特徴とするリクライニング装置。
【請求項４】
請求項２記載のリクライニング装置において、
上記回転禁止手段は、上記少なくとも何れか一つの回転体に設けられた係合突起と、該係合突起を選択的に把持する把持部と、から構成されていることを特徴とするリクライニング装置。
【請求項５】
請求項１〜請求項４の何れかに記載のリクライニング装置において、
上記回転禁止手段による回転禁止解除動作は上記背もたれ部のリクライニング動作に連動して自動的に実行されるものであることを特徴とするリクライニング装置。
【請求項６】
請求項５記載のリクライニング装置において、
上記回転禁止手段による回転禁止解除動作は上記背もたれ部のリクライニング動作を許容する操作レバの操作に連動して実行されるものであることを特徴とするリクライニング装置。
【請求項７】
請求項５記載のリクライニング装置において、
上記回転禁止手段による回転禁止解除動作は上記背もたれ部のリクライニング動作を実行させるための電気的スイッチ操作に連動して実行されるものであることを特徴とするリクライニング装置。
【請求項８】
請求項１〜請求項７の何れかに記載のリクライニング装置において、
各種椅子用又は車椅子用又は車両座席用であることを特徴とするリクライニング装置。
【発明の詳細な説明】
【技術分野】
【０００１】
本発明は、例えば、車両の座席や車椅子等に適用されるリクライニング装置に係り、特に、背もたれ部をリクライニング動作させた場合に、使用者の背中と背もたれ部の間にズレが発生しないように工夫したものに関する。
【背景技術】
【０００２】
例えば、車椅子においては、背もたれ部がリクライニング動作可能な構成になっているものがある。ところが、背もたれ部にリクライニング動作を実行させた場合に、背もたれ部と使用者の背中との間にズレが発生してしまい、それが原因して使用者が不快感を感じることがあり、又、使用者の服装が乱れてしまうという問題があった。
【０００３】
このような問題に対しては、背もたれ部をスライド可能な構成にすることが考えられている。そのようなものとして、例えば、図１０に示すようなものがある。
図１０（ａ）に示すように、車椅子５０１は、着座部５０３と、この着座部５０３に対してリクライニング動作可能に取り付けられた背もたれ部５０５を備えている。上記着座部５０３には一対の大車輪５０７、５０７が回転可能に取り付けられているとともに、これら一対の大車輪５０７、５０７の前方には一対の小車輪５０９、５０９が回転可能に取り付けられている。
【０００４】
上記背もたれ部５０５の後方には油圧シリンダー機構５１１が設置されていて、この油圧シリンダー機構５１１は、シリンダ５１３と、このシリンダ５１３に対して出没可能に取り付けられたピストンロッド５１５等から構成されている。上記油圧シリンダー機構５１１が駆動することにより、背もたれ部５０５にリクライニング動作させるものである。
因みに、図１０（ａ）は背もたれ部５０５が略立った状態を示しており、一方、図１０（ｂ）は背もたれ部５０５が後方にある程度倒れた状態を示している。
【０００５】
上記背もたれ部５０５にはスライド板５１７が取り付けられていて、このスライド板５１７は背もたれ部５０５のリクライニング動作に伴ってスライド可能に構成されている。
因みに、図１０（ａ）に示す状態から図１０（ｂ）に示す状態に移行する過程で、スライド板５１７は下方に向かってスライドすることになる。それによって、使用者５１９の背中と背もたれ部５０５との間にはズレがなくなることになる。
【０００６】
上記構成に相当するものを開示するものとして、例えば、特許文献１がある。
【０００７】
【特許文献１】特開２００４−８１４７４号公報
【発明の開示】
【発明が解決しようとする課題】
【０００８】
上記従来の構成によると次のような問題があった。
スライド板５１７をスライドさせることにより、使用者５１９の背中と背もたれ部５０５との間のズレの発生を防止することはできるが、スライド板５１７のストロークには限界があり、使用者５１９の座り方によっては対応し切れないようなことがあり、その場合には、使用者の背中と背もたれ部との間にズレが発生してしまうことになる。
【０００９】
本発明はこのような点に基づいてなされたものでその目的とするところは、背もたれ部における可動領域の制限をなくして、どのような場合においても使用者の背中との背もたれ部との間のズレの発生を防止することが可能なリクライニング装置を提供することにある。
【課題を解決するための手段】
【００１０】
上記目的を達成するべく本願発明の請求項１によるリクライニング装置は、着座部と、上記着座部に対してリクライニング動作可能に取り付けられた背もたれ部と、を具備してなるリクライニング装置において、上記背もたれ部をベルトコンベア状に構成して、背もたれ部のリクライニング動作時に回転させることにより背もたれ部側と使用者の背中側との間のズレを解消するように構成したことを特徴とするものである。
又、請求項２によるリクライニング装置は、請求項１記載のリクライニング装置において、上記背もたれ部は、複数個の回転体と、上記複数個の回転体に巻回された無端状帯と、上記複数個の回転体の少なくとも何れか一つの回転体の回転を選択的に禁止する回転禁止手段と、から構成されていて、非リクライニング動作時には上記何れか一つの回転体は上記回転禁止手段によってその回転が禁止されており、リクライニング動作時には上記回転禁止手段による上記何れか一つの回転体の回転禁止は解除されるものであることを特徴とするものである。
又、請求項３によるリクライニング装置は、請求項２記載のリクライニング装置において、上記回転禁止手段は、上記少なくとも何れか一つの回転体に設けられた係合穴と、該係合穴に選択的に差し込まれる係合ピンと、から構成されていることを特徴とするものである。
又、請求項４によるリクライニング装置は、請求項２記載のリクライニング装置において、上記回転禁止手段は、上記少なくとも何れか一つの回転体に設けられた係合突起と、該係合突起を選択的に把持する把持部と、から構成されていることを特徴とするものである。
又、請求項５によるリクライニング装置は、請求項１〜請求項４の何れかに記載のリクライニング装置において、上記回転禁止手段による回転禁止解除動作は上記背もたれ部のリクライニング動作に連動して自動的に実行されるものであることを特徴とするものである。
又、請求項６によるリクライニング装置は、請求項５記載のリクライニング装置において、上記回転禁止手段による回転禁止解除動作は上記背もたれ部のリクライニング動作を許容する操作レバの操作に連動して実行されるものであることを特徴とするものである。
又、請求項７によるリクライニング装置は、請求項５記載のリクライニング装置において、上記回転禁止手段による回転禁止解除動作は上記背もたれ部のリクライニング動作を実行させるための電気的スイッチ操作に連動して実行されるものであることを特徴とするものである。
又、請求項８によるリクライニング装置は、請求項１〜請求項７の何れかに記載のリクライニング装置において、各種椅子用又は車椅子用又は車両座席用であることを特徴とするものである。
【発明の効果】
【００１１】
以上述べたように本願発明の請求項１によるリクライニング装置は、着座部と、上記着座部に対してリクライニング動作可能に取り付けられた背もたれ部と、を具備してなるリクライニング装置において、上記背もたれ部をベルトコンベア状に構成して、背もたれ部のリクライニング動作時に回転させることにより背もたれ部側と使用者の背中側との間のズレを解消するように構成したので、ベルトコンベア状の背もたれ部が回転することにより、使用者の背中と背もたれ部側との間にズレが発生することを防止することができ、それによって、ズレの発生に起因した各種の不具合を解消することができる。
又、ベルトコンベア状に構成されているので可動領域に制限がなく、使用者の体格や使用状況によって背もたれ部側の可動領域が制限されてしまって、結局、使用者の背中と背もたれ部側との間にズレが発生してしまうといったことをなくすことができる。
又、上記背もたれ部を、複数個の回転体と、上記複数個の回転体に巻回された無端状帯と、上記複数個の回転体の少なくとも何れか一つの回転体の回転を選択的に禁止する回転禁止手段と、から構成されていて、非リクライニング動作時には上記何れか一つの回転体は上記回転禁止手段によってその回転が禁止されており、リクライニング動作時には上記回転禁止手段による上記何れか一つの回転体の回転禁止は解除されるように構成した場合には、比較的簡単な構成で所望の効果を得る構成を実現することができる。
又、上記回転禁止手段を、上記少なくとも何れか一つの回転体に設けられた係合穴と、該係合穴に選択的に差し込まれる係合ピンとから構成した場合には、比較的簡単な構成で所望の機能を発揮する回転禁止手段を提供することができる。
又、上記回転禁止手段を、上記少なくとも何れか一つの回転体に設けられた係合突起と、該係合突起を選択的に把持する把持部とから構成した場合も同様である。
又、上記回転禁止手段による回転禁止解除動作を上記背もたれ部のリクライニング動作に連動して自動的に実行されるものとして構成した場合には、双方の動作のタイミングがずれることがないので、高い効果を期待することができるとともに、別途煩雑な操作を余儀なくされることもない。
又、上記回転禁止手段による回転禁止解除動作を上記背もたれ部のリクライニング動作を許容する操作レバの操作に連動して実行されるものとして構成した場合には、比較的簡単な操作のみで双方の動作を連動させることができる。
又、上記回転禁止手段による回転禁止解除動作を上記背もたれ部のリクライニング動作を実行させるための電気的スイッチ操作に連動して実行されるものとして構成した場合にも、比較的簡単な操作のみで双方の動作を連動させることができる。
尚、本願発明によるリクライニング装置は、例えば、各種椅子用又は車椅子用又は車両座席用として適用可能であり、上記各種椅子と、例えば、理容室や美容室の椅子等である。
【発明を実施するための最良の形態】
【００１２】
以下、図１乃至図６を参照して本発明の第１の実施の形態を説明する。この実施の形態は本願発明を車椅子に適用した例を示すものである。図１は車椅子１の全体の構成を示す側面図であり、まず、着座部３がある。この着座部３には一対の大車輪５、５が回転可能に取り付けられているとともに、これら一対の大車輪５、５の前方には一対の小車輪７、７が回転可能な状態で設置されている。又、上記着座部３には一対の肘掛部８、８が設置されている。
尚、図１では一方の大車輪５、小車輪７、肘掛部８のみを示している。
【００１３】
上記着座部３には背もたれ部９がリクライニング動作（前方から後方に向かう回動動作或いはその逆向きの動作）可能な状態で取り付けられている。上記背もたれ部９は、一対のフレーム１１、１１と、これら一対のフレーム１１、１１の両端間に回転可能な状態で設置された回転体としての回転ドラム１３、１３と、これら一対の回転ドラム１３、１３の間に巻回された無端状帯としてのベルト１５とから構成されている。上記回転ドラム１３、１３は回転軸１７、１７によって支持されている。この回転軸１７、１７は図示しない軸受を介して上記一対のフレーム１１、１１に回転可能に支持されている。そして、上記背もたれ部９は図示しないリクライニング駆動機構によってリクライニング動作可能な構成になっている。
上記リクライニング駆動機構であるが、この実施の形態の場合には次のような構成になっている。まず、背もたれ部９と着座部３との間にはばね部材３５が設置されていて、背もたれ部９はこのばね部材３５によって常時立ち上がり方向（図１中反時方向）に付勢されている。又、その付勢位置は図示しないロック機構によってロックされるように構成されている。そして、このロック機構によるロックを解除するのが操作レバ３３である。よって、背もたれ部９にリクライニング動作を実行させる場合には、使用者が座った状態で上記操作レバ３３を操作してロック機構によるロックを解除する。後は、背もたれ部９を倒したい場合には使用者が体重を後方に作用させてばね部材３５のばね力に抗して背もたれ部９を後方に回動させる。逆に、背もたれ部９を立ち上げたい場合には使用者が体重の作用を止めて上記ばね部材３５によるばね力を利用して立ち上げる。後は所望の状態で操作レバ３３の操作を止めればその位置がロック機構によりロックされるものである。
【００１４】
上記背もたれ部９のベルト１５は適宜ループ状に回転可能な状態になっている。まず、図１及び図２において下方に示す回転ドラム１３の端面には、図４に示すように、複数個の係合穴２１が周方向等間隔に形成されている。一方、フレーム１１側には、図３に示すように、回転ドラム１３の回転を選択的に禁止する回転禁止手段２３が設置されている。この回転禁止手段２３は、シリンダ２５と、このシリンダ２５内に出没可能に収容された係合ピン２７と、この係合ピン２７と上記シリンダ２５との間に装着されたコイルスプリング２９と、上記係合ピン２７に連結されたワイヤ３１と、このワイヤ３１に連結された前記操作レバ３３とから構成されている。上記操作レバ３３は背もたれ部９のリクライニング動作を可能にするためのものである。すなわち、前述したように、操作レバ３３を操作することにより背もたれ部９のロックが解除されてリクライニング動作が可能な状態になる。それに連動して、ワイヤ３１を介して上記回転禁止手段２３が動作するように構成されている。
【００１５】
そして、非リクライニング動作時には、図３に示すように、係合ピン２７がコイルスプリング２９のスプリング力によって突出方向に付勢されていて、回転ドラム１３の任意の係合穴２３内に係合している。それによって、回転ドラム１３ひいてはベルト１５の回転が規制された状態になっている。又、操作レバ３３は待機位置に戻されていて、背もたれ部９にはリクライニング動作を禁止するべくロックが掛けられている。
【００１６】
これに対して、背もたれ部９にリクライニング動作を行わせる場合には、操作レバ３３を操作する。それによって、背もたれ部９のロックが解除されて、リクライニング動作が可能な状態となる。又、ワイヤ３１を介して係合ピン２７をコイルスプリング２９のスプリング力に抗してシリンダ２５内に引き戻す。それによって、図５に示すように、係合ピン２７の係合穴２３に対する係合が解除され、回転ドラム１３ひいてはベルト１５の回転が許容される。そして、背もたれ部９にリクライニング動作を行わせると、使用者の背中によって押し付けられているベルト１５が適宜ループ状に回転することになるので、使用者の背中とベルト１５との間にズレが発生することはない。
【００１７】
又、リクライニング動作を行った後操作レバ３３を元に戻せば、背もたれ部９のリクライニング動作は禁止されるとともに、回転禁止手段２３の係合ピン２７がコイルスプリング２９のスプリング力によって突出されるので、回転ドラム１３の任意の係合穴２１に係合する。それによって、回転は禁止されることになる。  
【００１８】
以上本実施の形態によると次のような効果を奏することができる。
まず、リクライニング動作時には、ベルト１５がループ状に回転可能な状態となるので、使用者の背中と背もたれ部９側との間にズレが発生することを防止することができ、それによって、ズレの発生に起因した各種の不具合を解消することができる。
又、ベルト１５の場合には可動領域に制限がないので、使用者の体格や使用状況によって背もたれ部９側の可動が制限されてしまって、結局、使用者の背中と背もたれ部９側との間にズレが発生してしまうといったことをなくすことができる。
又、リクライニング動作を実行するべく操作レバ３３を操作すると、回転禁止手段２３もそれに連動して自動的に動作するので、双方の動作のタイミングがずれることもない。又、別途煩雑な操作を余儀なくされることもない。
又、一対の回転ドラム１３、１３とベルト１５とからなる構成は極めて簡単であり、よって、構成の複雑化、装置の大型化を来たすことなく所望の効果を得ることができる。
【００１９】
次に、図６及び図７を参照して本発明の第２の実施の形態を説明する。この場合は、電磁プランジャー機構４１を使用して係合ピン２７の出没を行わせるように構成したものである。すなわち、回転ドラム回転禁止手段２３は、シリンダ２５と、このシリンダ２５内に出没可能に取り付けられた係合ピン２７と、こまの係合ピン２７を付勢するコイルスプリング２９と、コイル４１と、このコイル４１を選択的に通電させるためのスイッチ４３等から構成されている。
尚、上記スイッチ４３は背もたれ部９のリクライニング動作を可能にするためのスイッチでもある。すなわち、この実施の形態の場合には、背もたれ部９と着座部３との間に電動アクチュエータが設置されていて、上記スイッチ４３を操作することによりこの電動アクチュエータが適宜伸縮して背もたれ部９にリクライニング動作を実行させるものである。
【００２０】
そして、非リクライニング動作時には、図６に示すように、係合ピン２７がコイルスプリング２９のスプリング力によって突出方向に付勢されていて、回転ドラム１３の任意の係合穴２３内に係合している。それによって、回転ドラム１３ひいてはベルト１５の回転が規制された状態になっている。
【００２１】
これに対して、背もたれ部９にリクライニング動作を行わせる場合には、スイッチ４３を操作する。それによって、背もたれ部９のリクライニング動作が可能になるとともにコイル４１を通電する。それによって、係合ピン２７をコイルスプリング２９のスプリング力に抗してシリンダ２５内に吸引・吸着して引き戻す。それによって、図７に示すように、係合ピン２７の係合穴２３に対する係合が解除され、回転ドラム１３ひいてはベルト１５の回転が許容される。その状態で背もたれ部９にリクライニング動作を行わせると、使用者の背中に押し付けられているベルト１５が適宜ループ状に回転することになるので、使用者の背中とベルト１５との間にズレが発生することはない。
【００２２】
したがって、前記第１の実施の形態の場合と同様の効果を奏することができる。
【００２３】
次に、図８及び図９を参照して本発明の第３の実施の形態を説明する。この場合は、まず、回転ドラム１３側の端面に、複数個の係合突起５１を周方向等間隔に設ける。一方、フレーム１１側には回転禁止手段５３が設置されている。この回転禁止手段５３は、開閉駆動機構５５と、この開閉駆動機構５５に連結された一対の把持爪５７、５７と、上記開閉駆動機構５５に連結されたワイヤ５９等から構成されている。又、上記一対の把持爪５７、５７にはゴム板６１、６１が取り付けられている。
上記ワイヤ５９はリクライニング動作を可能にするための操作レバに連結されている。
【００２４】
そして、非リクライニング動作時には、図８に示すように、一対の把持爪５７、５７が近接する方向に移動していて係合突起５１を把持している。それによって、回転ドラム１３ひいてはベルト１５の回転が規制された状態になっている。
【００２５】
これに対して、背もたれ部９にリクライニング動作を行わせるべく操作レバを操作すると、ワイヤ５９を介して開閉駆動機構５５が動作し、上記一対の把持爪５７、５７を相互に離間する方向に移動させる。それによって、図９に示すように、係合突起５１の一対の把持爪５７、５７による把持が解除され、回転ドラム１３ひいてはベルト１５の回転が許容される。その状態で背もたれ部９にリクライニング動作を行わせると、使用者の背中に押し付けられているベルト１５が適宜ループ状に回転することになるので、使用者の背中とベルト１５との間にズレが発生することはない。
【００２６】
よって、前記第１、第２の実施の形態の場合と同様の効果を奏することができる。
【００２７】
尚、本発明は前記第１〜第３の実施の形態に限定されるものではなく、様々な構成が考えられる。
例えば、前記第２の実施の形態において、例えば、駆動モータ、ラック・ピニオンを使用して、係合ピン２７を動作させることも考えられる。
又、前記第３の実施の形態において、電磁プランジャー機構、駆動モータ等を使用して、一対の把持爪５７、５７を開閉させる構成も考えられる。
又、リクライニング動作を実行させるための構成としては、前記各実施の形態の場合のように、ばね部材を利用するタイプ、電動アクチュエータを使用するタイプ以外にも、例えば、背もたれ部の回動軸に駆動モータを連結して該駆動モータによって回動させるような構成も考えられる。
又、前記各実施の形態の場合には、一対の回転ドラムを使用してそこにベルトを巻回したが、３個以上の回転体を使用する構成も考えられる。   
又、前記各実施の形態の場合には、車椅子を例に挙げて説明したが、車両用の椅子、その他理容室や美容室用の椅子等についても同様に適用可能である。
その他、図示した構成はあくまで一例である。
【産業上の利用可能性】
【００２８】
本発明はリクライニング装置に係り、特に、背もたれ部をリクライニング動作させた場合に、着座部と背もたれ部にズレが発生しないように工夫したものに関し、例えば、車椅子や各種車両への適用が想定される。  
【図面の簡単な説明】
【００２９】
【図１】本発明の第１の実施の形態を示す図で、車椅子の全体の構成を示す側面図である。
【図２】本発明の第１の実施の形態を示す図で、背もたれ部の構成を示す正面図である。
【図３】本発明の第１の実施の形態を示す図で、図２のＩＩＩ部を詳細に示す拡大断面図である。
【図４】本発明の第１の実施の形態を示す図で、回転ドラムの構成を示す平面図である。
【図５】本発明の第１の実施の形態を示す図で、回転ドラムの回転を禁止するための構成を示す一部断面図である。
【図６】本発明の第２の実施の形態を示す図で、回転ドラムの回転を禁止するための構成を示す一部断面図である。
【図７】本発明の第２の実施の形態を示す図で、回転ドラムの回転を禁止するための構成を示す一部断面図である。
【図８】本発明の第３の実施の形態を示す図で、回転ドラムの回転を禁止するための構成を示す一部断面図である。
【図９】本発明の第３の実施の形態を示す図で、回転ドラムの回転を禁止するための構成を示す一部断面図である。
【図１０】従来例を示す図で、図１０（ａ）はリクライニング動作前の車椅子の状態を示す側面図、図１０（ｂ）はリクライニング動作後の車椅子の状態を示す側面図である。
【符号の説明】
【００３０】
１  車椅子
３  着座部
９  背もたれ部
１１  フレーム
１３  回転ドラム
１５  ベルト
１７  回転軸
２１  係合穴
２３  回転禁止手段
２５  シリンダ
２７  係合ピン
２９  コイルスプリング
３１  ワイヤ
３３  操作レバ
【図１】
2007190198.tif 000003
【図２】
2007190198.tif 000004
【図３】
2007190198.tif 000005
【図４】
2007190198.tif 000006
【図５】
2007190198.tif 000007
【図６】
2007190198.tif 000008
【図７】
2007190198.tif 000009
【図８】
2007190198.tif 000010
【図９】
2007190198.tif 000011
【図１０】
2007190198.tif 000012